(57)【特許請求の範囲】
【請求項１】
エージェント装置が、初期ユーザーイクイップメント（ＵＥ）アクセスメッセージを受信するステップと、
前記エージェント装置が、前記初期ＵＥアクセスメッセージに従ってＵＥのタイプを取得するステップと、
前記エージェント装置が、前記タイプに従って、前記タイプのＵＥにサービスを提供できる第１の移動性管理ノードを選択するステップと、
前記エージェント装置が、前記第１の移動性管理ノードに、前記ＵＥにサービスを提供するように命令するステップと、
を含む移動性管理方法であって、
前記エージェント装置が前記初期ＵＥアクセスメッセージに従ってＵＥのタイプを取得する前記ステップは、前記ＵＥのタイプが前記ＵＥのリダイレクト通知に関連するとき、
前記エージェント装置が、前記初期ＵＥアクセスメッセージに従って、前記ＵＥに対して第２の移動性管理ノードをランダムに選択するステップと、
前記エージェント装置が、前記初期ＵＥアクセスメッセージを前記第２の移動性管理ノードに転送するステップと、
前記エージェント装置が、前記ＵＥの前記タイプを搬送し且つ前記第２の移動性管理ノードによって返されるリダイレクト通知を受信するステップと、
前記エージェント装置が、前記リダイレクト通知から前記ＵＥの前記タイプを取得するステップと、
を含み、
前記エージェント装置が前記初期ＵＥアクセスメッセージに従ってＵＥのタイプを取得する前記ステップは、前記ＵＥのタイプが前記ＵＥの契約データに関連するとき、前記ＵＥの前記契約データから前記ＵＥのタイプを取得するステップを含み、
前記エージェント装置が前記初期ＵＥアクセスメッセージに従ってＵＥのタイプを取得する前記ステップは、前記ＵＥのタイプがサービス品質（ＱｏＳ）パラメータに関連するとき、前記ＱｏＳパラメータから前記ＵＥのタイプを取得するステップを含む、
方法。
【請求項２】
前記エージェント装置が前記ＵＥの前記契約データからＵＥのタイプを取得する前記ステップは、
前記エージェント装置が、前記初期ＵＥアクセスメッセージに従って、ホーム加入者サーバー（ＨＳＳ）に位置更新を実行するステップと、
前記エージェント装置が、前記ＨＳＳによって返された前記ＵＥの契約データを受信するステップと、
を含む、請求項１に記載の方法。
【請求項３】
前記エージェント装置が、前記ＵＥの前記タイプを搬送し且つ前記第２の移動性管理ノードによって返されるリダイレクト通知を受信する前記ステップは、
前記エージェント装置が、前記ＵＥの契約データを搬送し且つ前記第２の移動性管理ノードによって返されるリダイレクト通知を受信するステップであって、前記契約データは前記ＵＥの前記タイプを含む、ステップ、又は、
前記エージェント装置が、タイプ指示を搬送し且つ前記第２の移動性管理ノードによって返されるリダイレクト通知を受信するステップであって、前記タイプ指示は前記ＵＥの前記タイプを含む、ステップ、
を含む、請求項１に記載の方法。
【請求項４】
前記エージェント装置が、前記第１の移動性管理ノードに前記ＵＥにサービスを提供するように命令する前記ステップは、
前記エージェント装置が、前記第１の移動性管理ノードがホーム加入者サーバー（ＨＳＳ）に位置更新をするように、前記初期ＵＥアクセスメッセージを前記第１の移動性管理ノードに転送するステップ、
を含む、請求項１に記載の方法。
【請求項５】
プロセッサと、
前記プロセッサに結合されたメモリと、
を備える移動性管理エージェント装置であって、
前記メモリは命令を記憶し、前記命令は、前記プロセッサによって実行されると、前記プロセッサに、
初期ユーザーイクイップメント（ＵＥ）アクセスメッセージを受信することと、
前記初期ＵＥアクセスメッセージに従ってＵＥのタイプを取得することと、
前記タイプに従って、前記タイプのＵＥにサービスを提供できる第１の移動性管理ノードを選択することと、
前記第１の移動性管理ノードに、前記ＵＥにサービスを提供するように命令することと、
を実行させ、
前記初期ＵＥアクセスメッセージに応答してＵＥのタイプを取得することは、前記ＵＥのタイプが前記ＵＥのリダイレクト通知に関連するとき、
前記初期ＵＥアクセスメッセージに従って、前記ＵＥに対して第２の移動性管理ノードをランダムに選択することと、
前記初期ＵＥアクセスメッセージを前記第２の移動性管理ノードに転送することと、
前記ＵＥの前記タイプを搬送し且つ前記第２の移動性管理ノードによって返されるリダイレクト通知を受信することと、
前記リダイレクト通知から前記ＵＥの前記タイプを取得することと、
を含み、
前記初期ＵＥアクセスメッセージに応答してＵＥのタイプを取得することは、前記ＵＥのタイプが前記ＵＥの契約データに関連するとき、前記ＵＥの前記契約データから前記ＵＥのタイプを取得することを含み、
前記初期ＵＥアクセスメッセージに応答してＵＥのタイプを取得する前記ステップは、前記ＵＥのタイプがサービス品質（ＱｏＳ）パラメータに関連するとき、前記ＱｏＳパラメータから前記ＵＥのタイプを取得することを含む、
装置。
【請求項６】
前記命令は、前記プロセッサによって実行されると、前記プロセッサに、
前記初期ＵＥアクセスメッセージに従って、ホーム加入者サーバー（ＨＳＳ）に位置更新を実行し、前記ＨＳＳによって返された前記ＵＥの契約データを受信すること、
を実行させる、請求項５に記載の装置。
【請求項７】
前記命令は、前記プロセッサによって実行されると、前記プロセッサに、
前記ＵＥの契約データを搬送し且つ前記第２の移動性管理ノードによって返されるリダイレクト通知を受信することであって、前記契約データは前記ＵＥの前記タイプを含むこと、又は、
タイプ指示を搬送し且つ前記第２の移動性管理ノードによって返されるリダイレクト通知を受信することであって、前記タイプ指示は前記ＵＥの前記タイプを含むこと、
を実行させる、請求項５に記載の装置。
【請求項８】
前記命令は、前記プロセッサによって実行されると、前記プロセッサに、
前記第１の移動性管理ノードがホーム加入者サーバー（ＨＳＳ）に位置更新をするように、前記初期ＵＥアクセスメッセージを前記第１の移動性管理ノードに転送すること、
を実行させる、請求項５に記載の装置。
【請求項９】
初期ユーザーイクイップメント（ＵＥ）アクセスメッセージを受信するように構成される受信部と、
前記初期ＵＥアクセスメッセージに従ってＵＥのタイプを取得し、前記タイプに従って、前記タイプのＵＥにサービスを提供できる第１の移動性管理ノードを選択するように構成されるプロセッサと、
前記第１の移動性管理ノードに、前記ＵＥにサービスを提供するように命令するように構成される送信部と、
を備える移動性管理エージェント装置であって、
前記プロセッサは、前記ＵＥのタイプが前記ＵＥのリダイレクト通知に関連するとき、前記初期ＵＥアクセスメッセージに従って、前記ＵＥに対して第２の移動性管理ノードをランダムに選択するように構成され、
前記送信部は更に、前記初期ＵＥアクセスメッセージを前記第２の移動性管理ノードに転送するように構成され、
前記受信部は更に、前記ＵＥの前記タイプを搬送し且つ前記第２の移動性管理ノードによって返されるリダイレクト通知を受信するように構成され、
前記プロセッサは更に、前記リダイレクト通知から前記ＵＥの前記タイプを取得するように構成され、
前記プロセッサは、前記ＵＥのタイプが前記ＵＥの契約データに関連するとき、前記ＵＥの前記契約データから前記ＵＥのタイプを取得するように構成され、
前記プロセッサは、前記ＵＥのタイプがサービス品質（ＱｏＳ）パラメータに関連するとき、前記ＱｏＳパラメータから前記ＵＥのタイプを取得するように構成される、
装置。
【請求項１０】
前記送信部は更に、前記初期ＵＥアクセスメッセージに従って、ホーム加入者サーバー（ＨＳＳ）に位置更新を実行するように構成され、
前記受信部は更に、前記ＨＳＳによって返された前記ＵＥの契約データを受信するように構成される、
請求項９に記載の装置。
【請求項１１】
前記受信部は、
前記ＵＥの契約データを搬送し且つ前記第２の移動性管理ノードによって返されるリダイレクト通知を受信するように構成され、前記契約データは前記ＵＥの前記タイプを含み、又は、
タイプ指示を搬送し且つ前記第２の移動性管理ノードによって返されるリダイレクト通知を受信するように構成され、前記タイプ指示は前記ＵＥの前記タイプを含む、
請求項９に記載の装置。
【請求項１２】
前記送信部は、
前記第１の移動性管理ノードがホーム加入者サーバー（ＨＳＳ）に位置更新をするように、前記初期ＵＥアクセスメッセージを前記第１の移動性管理ノードに転送するように構成される、
請求項９に記載の装置。
【請求項１３】
請求項５乃至１２のいずれか一項に記載の移動性管理エージェント装置及び第１の移動性管理ノードを備える移動性管理システムであって、
前記第１の移動性管理ノードは、前記移動性管理エージェント装置の通知に従って、ユーザーイクイップメント（ＵＥ）にサービスを提供するように構成される、
システム。
【請求項１４】
前記移動性管理エージェント装置によって転送された前記初期ＵＥアクセスメッセージを受信し、且つ、ホーム加入者サーバー（ＨＳＳ）に位置更新を実行し、且つ、前記ＨＳＳによって返された前記ＵＥの契約データを受信し、前記契約データは前記ＵＥのタイプを含み、且つ、前記タイプに従って、第２の移動性管理ノードが前記タイプの前記ＵＥにサービスを提供する移動性管理ノードではないと決定し、且つ、前記移動性管理エージェント装置に前記ＵＥの前記タイプを搬送するリダイレクト通知を送信するように構成される、第２の移動性管理ノード、
を備える、請求項１３に記載のシステム。
【請求項１５】
コンピューターに請求項１乃至４のいずれか一項に記載の方法を実行させるプログラム。
【発明の詳細な説明】
【技術分野】
【０００１】
本発明は通信技術分野に関し、特に、移動性管理方法、装置及びシステムに関する。
【背景技術】
【０００２】
ＳＧＳＮ（Serving  GPRS  Support  Node、サービングＧＰＲＳサポートノード）及びＭＭＥ（Mobility  Management  Entity、移動性管理エンティティ）は、セル方式ネットワーク上の移動性管理ノードである。ＳＧＳＮはＧＰＲＳ（General  Packet  Radio  Service、汎用パケット無線システム）ネットワーク上の移動性管理ノードであり、ＭＭＥはＥＰＣ（Evolved  Packet  Core、進化型パケットコア）ネットワーク上の移動性管理ノードである。ＨＳＳ（Home  Subscriber  Server、ホーム加入者サーバー）は、セル方式ネットワークの加入者データベースであり、加入者の契約データを格納する。セル方式ネットワークでは、異なる品質のサービスを提供し、異なるタイプの加入者を設定することにより、異なる加入者に異なるＱｏＳ（Quality  of  Service、サービス品質）を提供することができる。
【０００３】
現在、ＭＭＥは、全てのタイプの加入者にサービスを提供する。ＭＭＥは、異なるタイプの加入者に異なるサービスを提供する必要がある場合、まず加入者のタイプを決定してから、それに応じて異なる動作を実行する必要がある。ＭＭＥが異なるタイプの多数の加入者にサービスを提供する場合、動作が比較的複雑であり、効率が比較的低く、維持及び管理が困難である。
【発明の概要】
【０００４】
これを考慮して、本発明の実施形態は、移動性管理方法、装置及びシステムを提供する。技術的解決策は以下のとおりである。
【０００５】
第１の態様によれば、移動性管理方法が提供される。本方法は、
初期ユーザーイクイップメント（ＵＥ）アクセスメッセージを受信するステップと、
初期ＵＥアクセスメッセージに従ってＵＥのタイプを取得するステップと、
該タイプに従って、該タイプのＵＥにサービスを提供できる第１の移動性管理ノードを選択するステップと、
第１の移動性管理ノードに、ＵＥにサービスを提供するように命令するステップと、
を含む。
【０００６】
上述の第１の態様に関して、第１の実施方式では、初期ＵＥアクセスメッセージに従ってＵＥのタイプを取得するステップは、
初期ＵＥアクセスメッセージに従って、ホーム加入者サーバー（ＨＳＳ）に位置更新を実行するステップと、
ＨＳＳによって返されたＵＥの契約データを受信するステップと、
ＵＥの契約データからＵＥのタイプを取得するステップと、
を含む。
【０００７】
上述の第１の態様に関して、第２の実施方式では、初期ＵＥアクセスメッセージに従ってＵＥのタイプを取得するステップは、
初期ＵＥアクセスメッセージに従って、ＵＥに対して第２の移動性管理ノードをランダムに選択するステップと、
初期ＵＥアクセスメッセージを第２の移動性管理ノードに転送するステップと、
ＵＥのタイプを搬送し且つ第２の移動性管理ノードによって返されるリダイレクト通知を受信するステップと、
リダイレクト通知からＵＥのタイプを取得するステップと、
を含む。
【０００８】
上述の第２の実施方式に関して、第３の実施方式では、ＵＥのタイプを搬送し且つ第２の移動性管理ノードによって返されるリダイレクト通知を受信するステップは、
ＵＥの契約データを搬送し且つ第２の移動性管理ノードによって返されるリダイレクト通知を受信するステップであって、契約データはＵＥのタイプを含む、ステップ、又は、
タイプ指示を搬送し且つ第２の移動性管理ノードによって返されるリダイレクト通知を受信するステップであって、タイプ指示はＵＥのタイプを含む、ステップ、
を含む。
【０００９】
上述の第２の実施方式に関して、第４の実施方式では、ＵＥのタイプを搬送し且つ第２の移動性管理ノードによって返されるリダイレクト通知を受信するステップの前に、本方法は更に、
第２の移動性管理ノードが初期ＵＥアクセスメッセージを受信した後に、ＨＳＳに位置更新を実行するステップと、
ＨＳＳによって返されたＵＥの契約データを受信するステップであって、契約データはＵＥのタイプを含む、ステップと、
タイプに従って、第２の移動性管理ノードがタイプのＵＥにサービスを提供する移動性管理ノードではないと決定するステップと、
ＵＥのタイプを搬送するリダイレクト通知を送信するステップと、
を含む。
【００１０】
上述の第１の態様に関して、第５の実施方式では、第１の移動性管理ノードにＵＥにサービスを提供するように命令するステップは、
第１の移動性管理ノードがＨＳＳに位置更新をするように、初期ＵＥアクセスメッセージを第１の移動性管理ノードに転送するステップ、
を含む。
【００１１】
第２の態様によれば、移動性管理エージェント装置が提供される。本装置は、
初期ユーザーイクイップメント（ＵＥ）アクセスメッセージを受信するように構成される受信モジュールと、
初期ＵＥアクセスメッセージに従ってＵＥのタイプを取得するように構成される取得モジュールと、
タイプに従って、タイプのＵＥにサービスを提供できる第１の移動性管理ノードを選択するように構成される選択モジュールと、
第１の移動性管理ノードに、ＵＥにサービスを提供するように命令するように構成される送信モジュールと、
を備える。
【００１２】
上述の第２の態様に関して、第１の実施方式では、取得モジュールは、
初期ＵＥアクセスメッセージに従って、ホーム加入者サーバー（ＨＳＳ）に位置更新を実行し、ＨＳＳによって返されたＵＥの契約データを受信するように構成される位置更新ユニットと、
ＵＥの契約データからＵＥのタイプを取得するように構成される第１の取得ユニットと、
を有する。
【００１３】
上述の第２の態様に関して、第２の実施方式では、取得モジュールは、
初期ＵＥアクセスメッセージに従って、ＵＥに対して第２の移動性管理ノードをランダムに選択するように構成される選択ユニットと、
初期ＵＥアクセスメッセージを第２の移動性管理ノードに転送するように構成される転送ユニットと、
ＵＥのタイプを搬送し且つ第２の移動性管理ノードによって返されるリダイレクト通知を受信するように構成される受信ユニットと、
リダイレクト通知からＵＥのタイプを取得するように構成される第２の取得ユニットと、
を有する。
【００１４】
第２の態様の上述の第２の実施方式に関して、第３の実施方式では、受信ユニットは、
ＵＥの契約データを搬送し且つ第２の移動性管理ノードによって返されるリダイレクト通知を受信するように構成され、契約データはＵＥのタイプを含み、又は、
タイプ指示を搬送し且つ第２の移動性管理ノードによって返されるリダイレクト通知を受信するように構成され、タイプ指示はＵＥのタイプを含む。
【００１５】
上述の第２の態様に関して、第４の実施方式では、送信モジュールは、
第１の移動性管理ノードがＨＳＳに位置更新をするように、初期ＵＥアクセスメッセージを第１の移動性管理ノードに転送するように構成される。
【００１６】
第３の態様によれば、移動性管理エージェント装置が提供される。本装置は、
初期ユーザーイクイップメント（ＵＥ）アクセスメッセージを受信するように構成される受信部と、
初期ＵＥアクセスメッセージに従ってＵＥのタイプを取得し、タイプに従って、タイプのＵＥにサービスを提供できる第１の移動性管理ノードを選択するように構成されるプロセッサと、
第１の移動性管理ノードに、ＵＥにサービスを提供するように命令するように構成される送信部と、
を備える。
【００１７】
上述の第３の態様に関して、第１の実施方式では、送信部は更に、初期ＵＥアクセスメッセージに従って、ホーム加入者サーバー（ＨＳＳ）に位置更新を実行するように構成され、
受信部は更に、ＨＳＳによって返されたＵＥの契約データを受信するように構成され、
プロセッサは、ＵＥの契約データからＵＥのタイプを取得するように構成される。
【００１８】
上述の第３の態様に関して、第２の実施方式では、プロセッサは、初期ＵＥアクセスメッセージに従って、ＵＥに対して第２の移動性管理ノードをランダムに選択するように構成され、
送信部は更に、初期ＵＥアクセスメッセージを第２の移動性管理ノードに転送するように構成され、
受信部は更に、ＵＥのタイプを搬送し且つ第２の移動性管理ノードによって返されるリダイレクト通知を受信するように構成され、
プロセッサは更に、リダイレクト通知からＵＥのタイプを取得するように構成される。
【００１９】
第３の態様の上述の第２の実施方式に関して、第３の実施方式では、受信部は、
ＵＥの契約データを搬送し且つ第２の移動性管理ノードによって返されるリダイレクト通知を受信するように構成され、契約データはＵＥのタイプを含み、又は、
タイプ指示を搬送し且つ第２の移動性管理ノードによって返されるリダイレクト通知を受信するように構成され、タイプ指示はＵＥのタイプを含む。
【００２０】
上述の第３の態様に関して、第４の実施方式では、送信部は、
第１の移動性管理ノードがＨＳＳに位置更新をするように、初期ＵＥアクセスメッセージを第１の移動性管理ノードに転送するように構成される。
【００２１】
第４の態様によれば、上述の実施方式のうちいずれか１つに係る移動性管理エージェント装置及び第１の移動性管理ノードを備える移動性管理システムが提供され、
第１の移動性管理ノードは、移動性管理エージェント装置の通知に従って、ユーザーイクイップメント（ＵＥ）にサービスを提供するように構成される。
【００２２】
上述の第４の態様に関して、第１の実施方式では、本システムは更に、
移動性管理エージェント装置によって転送された初期ＵＥアクセスメッセージを受信し、且つ、ホーム加入者サーバー（ＨＳＳ）に位置更新を実行し、且つ、ＨＳＳによって返されたＵＥの契約データを受信し、契約データはＵＥのタイプを含み、且つ、タイプに従って、第２の移動性管理ノードがタイプのＵＥにサービスを提供する移動性管理ノードではないと決定し、且つ、移動性管理エージェント装置にＵＥのタイプを搬送するリダイレクト通知を送信するように構成される第２の移動性管理ノード、
を備える。
【００２３】
本発明の実施形態で提供される技術的解決策の有益な効果は以下のとおりである。すなわち、初期ＵＥアクセスメッセージが受信され、初期ＵＥアクセスメッセージに従ってＵＥのタイプが取得され、タイプに従って、該タイプのＵＥにサービスを提供できる第１の移動性管理ノードが選択され、第１の移動性管理ノードは、ＵＥにサービスを提供するように命令される。移動性管理ノードはユーザーイクイップメントのタイプを区別してサービスを提供するので、ＵＥのタイプをサポートできる移動性管理ノードが、ＵＥにサービスを提供するように選択される。これは、移動性管理ノードの動作手順を単純化しサービス効率を改善するだけでなく、移動性管理ノードによるＵＥの維持及び管理をより良好なものにする。
【図面の簡単な説明】
【００２４】
本発明の実施形態における技術的解決策をより明確に説明するために、以下、実施形態の説明に必要な添付の図面を簡単に紹介する。当然ながら、添付の図面は以下の説明において、本発明の一部の実施形態を示すに過ぎない。当業者であれば、これら添付の図面から創意工夫なく他の図面を更に導出できるであろう。
【図１】本発明の実施形態１に係る移動性管理方法のフローチャートである。
【図２】本発明の実施形態２に係る移動性管理方法のフローチャートである。
【図３】本発明の実施形態２に係る移動性管理方法の手続きインタラクションの概略図である。
【図４】本発明の実施形態３に係る移動性管理方法のフローチャートである。
【図５】本発明の実施形態３に係る移動性管理方法の手続きインタラクションの概略図である。
【図６】本発明の実施形態４に係る移動性管理エージェント装置の構造図である。
【図７】本発明の実施形態５に係る移動性管理エージェント装置の構造図である。
【図８】本発明の実施形態６に係る移動性管理システムの構造図である。
【発明を実施するための形態】
【００２５】
本発明の目的、技術的解決策及び利点をより明確にするために、以下、添付の図面を参照して本発明の実施方式を更に詳述する。
【００２６】
本発明の実施形態は、移動性管理方法、装置及びシステムに関する。ＵＥのタイプが取得され、該タイプのＵＥにサービスを提供できる移動性管理ノードが、ＵＥにサービスを提供するように選択される。関連する移動性管理ノードは、ＧＰＲＳネットワーク上のＳＧＳＮ又はＥＰＣネットワーク上のＭＭＥ等を含むが、実施形態では具体的には限定されない。ＵＥのタイプは適宜設定されてよい。例えば、ＵＥのタイプは、ゴールド、シルバー及びブロンズの３つのタイプに設定されてよく、或いは、タイプ１〜タイプ１０の１０個のタイプに設定されてよい。当然ながら、別の方式が採用されてもよく、実施形態は、ＵＥのタイプを設定する方法についていかなる具体的な限定も課さない。
【００２７】
実施形態１
図１を参照する。本実施形態は、以下のステップを含む移動性管理方法を提供する。
【００２８】
１０１．初期ユーザーイクイップメント（ＵＥ）アクセスメッセージを受信する。
【００２９】
１０２．初期ＵＥアクセスメッセージに従ってＵＥのタイプを取得する。
【００３０】
１０３．タイプに従って、タイプのＵＥにサービスを提供できる第１の移動性管理ノードを選択する。
【００３１】
１０４．第１の移動性管理ノードに、ＵＥにサービスを提供するように命令する。
【００３２】
初期ＵＥアクセスメッセージに従ってＵＥのタイプを取得するステップは、
初期ＵＥアクセスメッセージに従って、ホーム加入者サーバー（ＨＳＳ）に位置更新を実行するステップと、
ＨＳＳによって返されたＵＥの契約データを受信するステップと、
ＵＥの契約データからＵＥのタイプを取得するステップと、
を含む。
【００３３】
初期ＵＥアクセスメッセージに従ってＵＥのタイプを取得するステップは、
初期ＵＥアクセスメッセージに従って、ＵＥに対して第２の移動性管理ノードをランダムに選択するステップと、
初期ＵＥアクセスメッセージを第２の移動性管理ノードに転送するステップと、
ＵＥのタイプを搬送し且つ第２の移動性管理ノードによって返されるリダイレクト通知を受信するステップと、
リダイレクト通知からＵＥのタイプを取得するステップと、
を含む。
【００３４】
更に、ＵＥのタイプを搬送し且つ第２の移動性管理ノードによって返されるリダイレクト通知を受信するステップは、
ＵＥの契約データを搬送し且つ第２の移動性管理ノードによって返されるリダイレクト通知を受信するステップであって、契約データはＵＥのタイプを含む、ステップ、又は、
タイプ指示を搬送し且つ第２の移動性管理ノードによって返されるリダイレクト通知を受信するステップであって、タイプ指示はＵＥのタイプを含む、ステップ、
を含む。
【００３５】
ＵＥのタイプを搬送し且つ第２の移動性管理ノードによって返されるリダイレクト通知を受信するステップの前に、本方法は更に、
第２の移動性管理ノードが初期ＵＥアクセスメッセージを受信した後に、ＨＳＳに位置更新を実行するステップと、
ＨＳＳによって返されたＵＥの契約データを受信するステップであって、契約データはＵＥのタイプを含む、ステップと、
タイプに従って、第２の移動性管理ノードがタイプのＵＥにサービスを提供する移動性管理ノードではないと決定するステップと、
ＵＥのタイプを搬送するリダイレクト通知を送信するステップと、
を含む。
【００３６】
第１の移動性管理ノードにＵＥにサービスを提供するように命令するステップは、
第１の移動性管理ノードがＨＳＳに位置更新をするように、初期ＵＥアクセスメッセージを第１の移動性管理ノードに転送するステップ、
を含む。
【００３７】
本実施形態において提供される上述の方法は、移動性管理エージェント装置に提供されてよい。該装置は移動性管理ノードの機能を有し、更に、移動性管理ノードとＵＥのタイプとの対応関係を維持し、対応関係を用いて、任意のタイプに対応する移動性管理ノードを検索することができ、それにより選択を実行することができる。
【００３８】
本実施形態において提供される上述の方法によれば、初期ＵＥアクセスメッセージが受信され、初期ＵＥアクセスメッセージに従ってＵＥのタイプが取得され、タイプに従って、該タイプのＵＥにサービスを提供できる第１の移動性管理ノードが選択され、第１の移動性管理ノードは、ＵＥにサービスを提供するように命令される。移動性管理ノードはユーザーイクイップメントのタイプを区別してサービスを提供するので、ＵＥのタイプをサポートできる移動性管理ノードが、ＵＥにサービスを提供するように選択される。これは、移動性管理ノードの動作手順を単純化しサービス効率を改善するだけでなく、移動性管理ノードによるＵＥの維持及び管理をより良好なものにする。
【００３９】
実施形態２
図２を参照する。本実施形態は、以下のステップを含む移動性管理方法を提供する。
【００４０】
２０１．初期ＵＥアクセスメッセージを受信する。
【００４１】
本実施形態では、初期ＵＥアクセスメッセージを受信するシナリオは複数あってよい。シナリオには、ＵＥ初期アクセス、位置更新、サービス要求等が含まれるがこれに限定されず、本実施形態はいかなる具体的な限定も課さない。
【００４２】
２０２．初期ＵＥアクセスメッセージに従って、ＨＳＳに位置更新を実行する。
【００４３】
２０３．ＨＳＳによって返されたＵＥの契約データを受信する。契約データはＵＥのタイプを含む。
【００４４】
２０４．ＵＥの契約データからＵＥのタイプを取得する。
【００４５】
ＵＥのタイプは事前設定される。例えば、ＵＥのタイプはゴールド加入者又はシルバー加入者である。具体的には、ＱｏＳパラメータにはＵＥのタイプを表すパラメータが追加されてよいが、本実施形態では具体的には限定されない。
【００４６】
２０５．取得されたＵＥのタイプに従って、該タイプのＵＥにサービスを提供できる第１の移動性管理ノードを選択する。
【００４７】
第１の移動性管理ノードはＳＧＳＮであってよく、或いはＭＭＥであってよいが、本実施形態では具体的には限定されない。
【００４８】
具体的には、移動性管理ノードとＵＥのタイプとの対応関係がローカルに維持されてよい。移動性管理ノードが選択されているとき、ＵＥのタイプに従って対応関係がローカルでクエリされて、該タイプに対応する移動性管理ノードが取得されてよい。
【００４９】
２０６．第１の移動性管理ノードに、ＵＥにサービスを提供するように命令する。
【００５０】
本実施形態では、第１の移動性管理ノードにＵＥにサービスを提供するように命令するステップは、
第１の移動性管理ノードがＨＳＳに位置更新をするように、初期ＵＥアクセスメッセージを第１の移動性管理ノードに転送するステップ、
を含んでよい。
【００５１】
図３を参照する。以下ＥＰＣネットワークを例にとり、移動性管理ノードＭＭＥをどのように選択するのかを詳述する。移動性管理手続きは以下のとおりである。
【００５２】
３０１．ｅＮＢが、初期ＵＥアクセスメッセージをＭＭＥのエージェント装置ａｇｅｎｔに送信する。
【００５３】
３０２．エージェント装置ａｇｅｎｔが、初期ＵＥアクセスメッセージを受信した後に、ＨＳＳに位置更新を実行する。
【００５４】
３０３．ＨＳＳが、位置更新アクノレッジメントによりエージェント装置ａｇｅｎｔに応答する。位置更新アクノレッジメントはＵＥの契約データを含み、契約データはＵＥのタイプを含む。
【００５５】
３０４．エージェント装置ａｇｅｎｔが、ＵＥのタイプに従ってＭＭＥ１を選択する。ＭＭＥ１は、該タイプのＵＥにサービスを提供することができる。
【００５６】
３０５．エージェント装置ａｇｅｎｔが、上述の初期ＵＥアクセスメッセージをＭＭＥ１に転送する。
【００５７】
３０６．ＭＭＥ１が、初期ＵＥアクセスメッセージを受信した後に、位置更新メッセージをＨＳＳに送信する。
【００５８】
３０７．ＨＳＳが、ＭＭＥ１によって送信された位置更新メッセージを受信した後に、取消位置メッセージをエージェント装置に送信する。
【００５９】
３０８．ＨＳＳが、位置更新アクノレッジメントによりＭＭＥ１に応答する。
【００６０】
上述のステップ３０７，３０８の順序は固定されない。該２つのステップは連続して実行されてよく、或いは同時に実行されてよく、ここでは限定されない。位置更新が完了した後、ＭＭＥ１はｅＮＢと直接通信してよく、或いはエージェント装置を用いてｅＮＢと通信してよい。
【００６１】
本実施形態において提供される上述の方法によれば、初期ＵＥアクセスメッセージが受信され、初期ＵＥアクセスメッセージに従ってＵＥのタイプが取得され、タイプに従って、該タイプのＵＥにサービスを提供できる第１の移動性管理ノードが選択され、第１の移動性管理ノードは、ＵＥにサービスを提供するように命令される。移動性管理ノードはユーザーイクイップメントのタイプを区別してサービスを提供するので、ＵＥのタイプをサポートできる移動性管理ノードが、ＵＥにサービスを提供するように選択される。これは、移動性管理ノードの動作手順を単純化しサービス効率を改善するだけでなく、移動性管理ノードによるＵＥの維持及び管理をより良好なものにする。
【００６２】
実施形態３
図４を参照する。本実施形態は、以下のステップを含む移動性管理方法を提供する。
【００６３】
４０１．初期ＵＥアクセスメッセージを受信する。
【００６４】
本実施形態では、初期ＵＥアクセスメッセージを受信するシナリオは複数あってよい。シナリオには、ＵＥ初期アクセス、位置更新、サービス要求等が含まれるがこれに限定されず、本実施形態はいかなる具体的な限定も課さない。
【００６５】
４０２．初期ＵＥアクセスメッセージに従って、ＵＥに対して第２の移動性管理ノードをランダムに選択する。
【００６６】
第２の移動性管理ノードはＳＧＳＮであってよく、或いはＭＭＥであってよいが、本実施形態では具体的には限定されない。
【００６７】
このステップでは、移動性管理ノードがランダムに選択されるので、すなわち、移動性管理ノードは任意の移動性管理ノードであってよい。したがって、移動性管理ノードはＵＥのタイプをサポートしてもよく、或いはＵＥのタイプをサポートしなくてもよい。
【００６８】
４０３．初期ＵＥアクセスメッセージを第２の移動性管理ノードに転送する。
【００６９】
４０４．ＵＥのタイプを搬送し且つ第２の移動性管理ノードによって返されるリダイレクト通知を受信する。
【００７０】
このステップは、具体的には、
ＵＥの契約データを搬送し且つ第２の移動性管理ノードによって返されるリダイレクト通知を受信するステップであって、契約データはＵＥのタイプを含む、ステップ、又は、
タイプ指示を搬送し且つ第２の移動性管理ノードによって返されるリダイレクト通知を受信するステップであって、タイプ指示はＵＥのタイプを含む、ステップ、
を含んでよい。
【００７１】
ＵＥのタイプは事前設定される。例えば、ＵＥのタイプはゴールド加入者又はシルバー加入者である。具体的には、ＱｏＳパラメータにはＵＥのタイプを表すパラメータが追加されてよいが、本実施形態では具体的には限定されない。
【００７２】
上述のタイプ指示は、ＵＥのタイプを含む１つの指示情報であり、識別子又はフラグビットであってよい。異なる値を設定することにより異なるタイプが表される。例えば、値１はゴールドＵＥを表し、値２はシルバーＵＥを表し、値３はブロンズＵＥを表す。
【００７３】
本実施形態では、ＵＥのタイプを搬送し且つ第２の移動性管理ノードによって返されるリダイレクト通知を受信するステップの前に、本方法は更に、
第２の移動性管理ノードが初期ＵＥアクセスメッセージを受信した後に、ＨＳＳに位置更新を実行し、且つ、ＨＳＳによって返されたＵＥの契約データを受信し、契約データはＵＥのタイプを含み、且つ、タイプに従って、第２の移動性管理ノードがタイプのＵＥにサービスを提供する移動性管理ノードではないと決定し、且つ、ＵＥのタイプを搬送するリダイレクト通知を送信するステップ、
を含んでよい。
【００７４】
具体的には、ＵＥの契約データの取得後、第２の移動性管理ノードは、契約データをリダイレクト通知に直接追加して契約データを送信してよく、或いは、契約データに含まれるＵＥのタイプに従ってタイプ指示を設定し、タイプ指示をリダイレクト通知に追加してタイプ指示を送信してよく、本実施形態では具体的には限定されない。
【００７５】
４０５．受信されたリダイレクト通知からＵＥのタイプを取得する。
【００７６】
本実施形態では、リダイレクト通知が受信されることは、選択された第２の移動性管理ノードがＵＥのタイプをサポートしないことを示す。したがって、ＵＥのタイプに従って、該タイプをサポートできる移動性管理ノードを再選択する必要がある。
【００７７】
４０６．取得されたＵＥのタイプに従って、該タイプのＵＥにサービスを提供できる第１の移動性管理ノードを選択する。
【００７８】
具体的には、移動性管理ノードとＵＥのタイプとの対応関係がローカルに維持されてよい。移動性管理ノードが選択されているとき、ＵＥのタイプに従って対応関係がローカルでクエリされて、該タイプに対応する移動性管理ノードが取得されてよい。
【００７９】
４０７．第１の移動性管理ノードに、ＵＥにサービスを提供するように命令する。
【００８０】
本実施形態では、第１の移動性管理ノードにＵＥにサービスを提供するように命令するステップは、
第１の移動性管理ノードがＨＳＳに位置更新をするように、初期ＵＥアクセスメッセージを第１の移動性管理ノードに転送するステップ、
を含んでよい。
【００８１】
図５を参照する。以下ＥＰＣネットワークを例にとり、移動性管理ノードＭＭＥをどのように選択するのかを詳述する。移動性管理手続きは以下のとおりである。
【００８２】
５０１．ｅＮＢが、初期ＵＥアクセスメッセージをエージェント装置に送信する。
【００８３】
５０２．エージェント装置ａｇｅｎｔが、初期ＵＥアクセスメッセージを受信した後に、ＵＥに対して移動性管理ノードＭＭＥ  Ａをランダムに選択する。
【００８４】
５０３．エージェント装置ａｇｅｎｔが、初期ＵＥアクセスメッセージをＭＭＥ  Ａに転送する。
【００８５】
５０４．ＭＭＥ  Ａが、初期ＵＥアクセスメッセージを受信した後に、ＨＳＳに位置更新を実行する。
【００８６】
５０５．ＨＳＳが、位置更新アクノレッジメントによりＭＭＥ  Ａに応答する。位置更新アクノレッジメントはＵＥの契約データを含み、契約データはＵＥのタイプを含む。
【００８７】
５０６．ＭＭＥ  Ａが、契約データからＵＥのタイプを取得した後に、ＭＭＥ  Ａが該タイプのＵＥにサービスを提供するのか否かを決定する。
【００８８】
５０７．ＭＭＥ  Ａが該タイプのＵＥにサービスを提供しないと決定された場合、ＭＭＥ  Ａは、ＵＥのタイプを搬送するリダイレクト通知をエージェント装置に送信し、別のＭＭＥを選択する必要があることをエージェント装置に通知する。
【００８９】
リダイレクト通知はＵＥの契約データを搬送してよく、或いはタイプ指示等を搬送してよい。タイプ指示は、ＭＭＥ  ＡがＵＥのタイプに従って設定する１つの指示情報であり、識別子又はフラグビットであってよい。異なる値を設定することにより異なるタイプが表される。例えば、値１はゴールドＵＥを表し、値２はシルバーＵＥを表し、値３はブロンズＵＥを表す。
【００９０】
５０８．エージェント装置ａｇｅｎｔが、リダイレクト通知を受信し、リダイレクト通知からＵＥのタイプを取得し、該タイプに従って正しいＭＭＥ  Ｂを選択する。ＭＭＥ  Ｂは、該タイプのＵＥにサービスを提供することができる。
【００９１】
５０９．エージェント装置ａｇｅｎｔが、上述の初期ＵＥアクセスメッセージをＭＭＥ  Ｂに転送する。
【００９２】
５１０．ＭＭＥ  Ｂが、初期ＵＥアクセスメッセージを受信した後に、位置更新メッセージをＨＳＳに送信する。
【００９３】
５１１．ＨＳＳが、ＭＭＥ  Ｂから位置更新メッセージを受信した後に、位置更新アクノレッジメントによりＭＭＥ  Ｂに応答する。
【００９４】
５１２．ＨＳＳが、取消位置メッセージをＭＭＥ  Ａに送信する。
【００９５】
上述のステップ５１１，５１２の順序は固定されない。該２つのステップは連続して実行されてよく、或いは同時に実行されてよく、ここでは限定されない。位置更新が完了した後、ＭＭＥ  ＢはｅＮＢと直接通信してよく、或いはエージェント装置を用いてｅＮＢと通信してよい。
【００９６】
本実施形態において提供される上述の方法によれば、初期ＵＥアクセスメッセージが受信され、初期ＵＥアクセスメッセージに従ってＵＥのタイプが取得され、タイプに従って、該タイプのＵＥにサービスを提供できる第１の移動性管理ノードが選択され、第１の移動性管理ノードは、ＵＥにサービスを提供するように命令される。移動性管理ノードはユーザーイクイップメントのタイプを区別してサービスを提供するので、ＵＥのタイプをサポートできる移動性管理ノードが、ＵＥにサービスを提供するように選択される。これは、移動性管理ノードの動作手順を単純化しサービス効率を改善するだけでなく、移動性管理ノードによるＵＥの維持及び管理をより良好なものにする。
【００９７】
実施形態４
図６を参照する。本実施形態は、以下の要素を備える移動性管理エージェント装置を提供する。
【００９８】
受信モジュール６０１は、初期ユーザーイクイップメント（ＵＥ）アクセスメッセージを受信するように構成される。
【００９９】
取得モジュール６０２は、初期ＵＥアクセスメッセージに従ってＵＥのタイプを取得するように構成される。
【０１００】
選択モジュール６０３は、該タイプに従って、該タイプのＵＥにサービスを提供できる第１の移動性管理ノードを選択するように構成される。
【０１０１】
送信モジュール６０４は、第１の移動性管理ノードに、ＵＥにサービスを提供するように命令するように構成される。
【０１０２】
本実施形態では、あるシナリオにおいて、取得モジュール６０２は、
初期ＵＥアクセスメッセージに従って、ホーム加入者サーバー（ＨＳＳ）に位置更新を実行し、ＨＳＳによって返されたＵＥの契約データを受信するように構成される位置更新ユニットと、
ＵＥの契約データからＵＥのタイプを取得するように構成される第１の取得ユニットと、
を有してよい。
【０１０３】
本実施形態では、別のシナリオにおいて、取得モジュール６０２は、
初期ＵＥアクセスメッセージに従って、ＵＥに対して第２の移動性管理ノードをランダムに選択するように構成される選択ユニットと、
初期ＵＥアクセスメッセージを第２の移動性管理ノードに転送するように構成される転送ユニットと、
ＵＥのタイプを搬送し且つ第２の移動性管理ノードによって返されるリダイレクト通知を受信するように構成される受信ユニットと、
リダイレクト通知からＵＥのタイプを取得するように構成される第２の取得ユニットと、
を有してよい。
【０１０４】
更に、上述の受信ユニットは、
ＵＥの契約データを搬送し且つ第２の移動性管理ノードによって返されるリダイレクト通知を受信するように構成されてよい。契約データはＵＥのタイプを含む。又は、
タイプ指示を搬送し且つ第２の移動性管理ノードによって返されるリダイレクト通知を受信するように構成されてよい。タイプ指示はＵＥのタイプを含む。
【０１０５】
本実施形態では、送信モジュール６０４は、
第１の移動性管理ノードがＨＳＳに位置更新をするように、初期ＵＥアクセスメッセージを第１の移動性管理ノードに転送するように構成されてよい。
【０１０６】
本実施形態において提供される上述の装置は、上述の方法実施形態のいずれかに提供される方法を実行してよい。具体的なプロセスの詳細については方法実施形態の説明を参照されたい。ここでは詳細の説明を省略する。
【０１０７】
本実施形態において提供される上述の装置によれば、初期ＵＥアクセスメッセージが受信され、初期ＵＥアクセスメッセージに従ってＵＥのタイプが取得され、タイプに従って、該タイプのＵＥにサービスを提供できる第１の移動性管理ノードが選択され、第１の移動性管理ノードは、ＵＥにサービスを提供するように命令される。移動性管理ノードはユーザーイクイップメントのタイプを区別してサービスを提供するので、ＵＥのタイプをサポートできる移動性管理ノードが、ＵＥにサービスを提供するように選択されるこれは、移動性管理ノードの動作手順を単純化しサービス効率を改善するだけでなく、移動性管理ノードによるＵＥの維持及び管理をより良好なものにする。
【０１０８】
実施形態５
図７を参照する。本実施形態は、以下の要素を備える移動性管理エージェント装置を提供する。
【０１０９】
受信部７０１は、初期ユーザーイクイップメント（ＵＥ）アクセスメッセージを受信するように構成される。
【０１１０】
プロセッサ７０２は、初期ＵＥアクセスメッセージに従ってＵＥのタイプを取得し、タイプに従って、タイプのＵＥにサービスを提供できる第１の移動性管理ノードを選択するように構成される。
【０１１１】
送信部７０３は、第１の移動性管理ノードに、ＵＥにサービスを提供するように命令するように構成される。
【０１１２】
本実施形態では、送信部７０３は更に、初期ＵＥアクセスメッセージに従って、ホーム加入者サーバー（ＨＳＳ）に位置更新を実行するように構成され、
受信部７０１は更に、ＨＳＳによって返されたＵＥの契約データを受信するように構成され、
プロセッサ７０２は、ＵＥの契約データからＵＥのタイプを取得するように構成される。
【０１１３】
本実施形態では、プロセッサ７０２は、初期ＵＥアクセスメッセージに従って、ＵＥに対して第２の移動性管理ノードをランダムに選択するように構成され、
送信部７０３は更に、初期ＵＥアクセスメッセージを第２の移動性管理ノードに転送するように構成され、
受信部７０１は更に、ＵＥのタイプを搬送し且つ第２の移動性管理ノードによって返されるリダイレクト通知を受信するように構成され、
プロセッサ７０２は更に、リダイレクト通知からＵＥのタイプを取得するように構成される。
【０１１４】
更に、受信部７０１は、
ＵＥの契約データを搬送し且つ第２の移動性管理ノードによって返されるリダイレクト通知を受信するように構成される。契約データはＵＥのタイプを含む。又は、
タイプ指示を搬送し且つ第２の移動性管理ノードによって返されるリダイレクト通知を受信するように構成される。タイプ指示はＵＥのタイプを含む。
【０１１５】
本実施形態では、送信部７０３は、
第１の移動性管理ノードがＨＳＳに位置更新をするように、初期ＵＥアクセスメッセージを第１の移動性管理ノードに転送するように構成される。
【０１１６】
本実施形態において提供される上述の装置は、上述の方法実施形態のいずれかに提供される方法を実行してよい。具体的なプロセスの詳細については方法実施形態の説明を参照されたい。ここでは詳細の説明を省略する。
【０１１７】
本実施形態において提供される上述の装置によれば、初期ＵＥアクセスメッセージが受信され、初期ＵＥアクセスメッセージに従ってＵＥのタイプが取得され、タイプに従って、該タイプのＵＥにサービスを提供できる第１の移動性管理ノードが選択され、第１の移動性管理ノードは、ＵＥにサービスを提供するように命令される。移動性管理ノードはユーザーイクイップメントのタイプを区別してサービスを提供するので、ＵＥのタイプをサポートできる移動性管理ノードが、ＵＥにサービスを提供するように選択される。これは、移動性管理ノードの動作手順を単純化しサービス効率を改善するだけでなく、移動性管理ノードによるＵＥの維持及び管理をより良好なものにする。
【０１１８】
実施形態６
図８を参照する。本実施形態は、実施形態４又は５に記載の移動性管理エージェント装置８０１及び第１の移動性管理ノード８０２を備える移動性管理システムを提供する。
【０１１９】
第１の移動性管理ノード８０２は、移動性管理エージェント装置８０１の通知に従って、ユーザーイクイップメント（ＵＥ）にサービスを提供するように構成される。
【０１２０】
更に、上述のシステムは更に、
移動性管理エージェント装置８０１によって転送された初期ＵＥアクセスメッセージを受信し、且つ、ホーム加入者サーバー（ＨＳＳ）に位置更新を実行し、且つ、ＨＳＳによって返されたＵＥの契約データを受信し、契約データはＵＥのタイプを含み、且つ、タイプに従って、第２の移動性管理ノードがタイプのＵＥにサービスを提供する移動性管理ノードではないと決定し、且つ、移動性管理エージェント装置にＵＥのタイプを搬送するリダイレクト通知を送信するように構成される第２の移動性管理ノード、
を備えてよい。
【０１２１】
本実施形態の移動性管理エージェント装置８０１は、上述の実施形態４又は５に記載の移動性管理エージェント装置と同じ機能を有する。ここでは詳細の説明を省略する。
【０１２２】
本実施形態において提供される上述のシステムは、上述の方法実施形態のいずれかに提供される方法を実行してよい。具体的なプロセスの詳細については方法実施形態の説明を参照されたい。ここでは詳細の説明を省略する。
【０１２３】
本実施形態において提供される上述のシステムによれば、初期ＵＥアクセスメッセージが受信され、初期ＵＥアクセスメッセージに従ってＵＥのタイプが取得され、タイプに従って、該タイプのＵＥにサービスを提供できる第１の移動性管理ノードが選択され、第１の移動性管理ノードは、ＵＥにサービスを提供するように命令される。移動性管理ノードはユーザーイクイップメントのタイプを区別してサービスを提供するので、ＵＥのタイプをサポートできる移動性管理ノードが、ＵＥにサービスを提供するように選択される。これは、移動性管理ノードの動作手順を単純化しサービス効率を改善するだけでなく、移動性管理ノードによるＵＥの維持及び管理をより良好なものにする。
【０１２４】
当業者であれば、実施形態のステップの全部又は一部がハードウェア又はプログラム命令関連ハードウェアによって実現されてよいことを理解できるであろう。プログラムはコンピューター可読記憶媒体に格納されてよい。記憶媒体は、リード・オンリー・メモリ、磁気ディスク、光ディスク等を含んでよい。
【０１２５】
上述の説明は本発明の例示的な実施形態に過ぎず、本発明を限定する意図はない。本発明の趣旨及び原理から逸脱することなくなされる変更、均等物の置換及び改善は、いかなるものであっても本発明の保護範囲に包含されるものとする。
【図１】
0006340076.tif 000002
【図２】
0006340076.tif 000003
【図３】
0006340076.tif 000004
【図４】
0006340076.tif 000005
【図５】
0006340076.tif 000006
【図６】
0006340076.tif 000007
【図７】
0006340076.tif 000008
【図８】
0006340076.tif 000009